(57)【要約】【課題】ロールスクリーンが巻取軸に誤った方向、即ち逆巻きに巻取られるのを防止することができるスクリーン巻取装置を提供する。【解決手段】巻取軸２とプーリー部材３との間に、ロールスクリーン１が巻取軸２に逆方向に巻き取られるのを防ぐ逆巻き防止機構７が取付けられていて、該逆巻き防止機構７を、プーリー部材４と共に回転する第１回転軸部材８と、巻取軸２と共に回転する第２回転軸部材９と、第１及び第２回転軸部材８，９の対向する各端部を相互に圧着する方向に付勢する弾性手段１０とで構成する。【選択図】        図１
2004176419.tif 000002
【特許請求の範囲】
【請求項１】
ロールスクリーンを巻き取るための巻取軸と、該巻取軸を正逆回転させるためのプーリー部材と、該プーリー部材に巻き掛けられた、プーリー部材を回転させる操作部材とを有するスクリーン巻取装置において、
上記巻取軸とプーリー部材との間に、ロールスクリーンが巻取軸に逆方向に巻き取られるのを防ぐ逆巻き防止機構が取付けられていて、該逆巻き防止機構が、プーリー部材により回転する第１回転軸部材と、該第１回転軸部材の軸線方向の一端部と対向する端部を有し、巻取軸と共に回転する第２回転軸部材と、第１及び第２回転軸部材の対向する各端部を相互に圧着する方向に付勢する弾性手段とで構成されていて、上記第１及び第２回転部材の対向する両端部に、逆巻き方向には噛合しないが、正巻き方向には噛合するクラッチ歯をそれぞれ設けると共に、上記弾性手段が、ロールスクリーン導出時には第１回転軸部材と第２回転軸部材とを一体的に回転させる程度に圧接する付勢力を有している、
ことを特徴とするスクリーン巻取装置。
【請求項２】
請求項１に記載のスクリーン巻取装置において、該巻取装置が、内部において上記巻取軸を回転自在に支持し、巻き取ったロールスクリーンが収容されているスクリーンボックスと、該スクリーンボックスに取付けられ、上記プーリーが操作部材を巻き掛けられた状態で回転自在に収容されている巻取カートリッジとで構成されていて、上記第１回転軸部材が巻取カートリッジ側に、第２回転軸部材がスクリーンボックス側にそれぞれ取付けられ、上記弾性手段が巻取カートリッジ内に設けられて、上記第１回転軸部材を第２回転軸部材側の軸線方向に付勢しているもの。
【請求項３】
請求項１または請求項２に記載のスクリーン巻取装置において、上記第１回転軸部材が、その軸線上に第２回転軸部材側に突出する係合軸を有していると共に、第２回転軸部材が、その軸線上に該係合軸を収容する係合孔を有しているもの。
【発明の詳細な説明】
【０００１】
【発明の属する技術分野】
本発明は、建物開口部に設置する防虫用のロール網戸、遮光用スクリーン、断熱用スクリーン等の各種のロールスクリーンの巻取装置に関するものである。
【０００２】
【従来の技術】
従来より、操作紐を操作してロールスクリーンを導出または巻き上げるスクリーン巻取装置は例を挙げるまでもなく広く知られている。この種の巻取装置は、一般に、ロールスクリーンの巻取軸に連結されたプーリー部材を操作紐やチェーン等の操作部材の操作によって正逆回転させることにより該巻取軸を回転させ、ロールスクリーンを導出、巻き上げる構成である。
しかしながら、この種の巻取装置においては、上記操作部材によってプーリー部材及び巻取軸が正逆方向に自由に回転させることができるため、ロールスクリーンを導出しきった状態から巻取りを行う場合においては、巻取軸を誤った方向、即ちロールスクリーンを逆巻きする方向に巻き上げてしまうおそれがある。これによって、ロールスクリーンの無理な巻取りが行われ、巻取装置が破損するおそれがあるだけでなく、ロールスクリーン自体が破損してしまう場合も考えられる。
【０００３】
【発明が解決しようとする課題】
本発明の技術的課題は、ロールスクリーンが巻取軸に誤った方向、即ち逆巻きに巻取られるのを防止することができるスクリーン巻取装置を提供することにある。
【０００４】
【課題を解決するための手段】
上記課題を解決するため、本発明のスクリーン巻取装置は、ロールスクリーンを巻き取るための巻取軸と、該巻取軸を正逆回転させるためのプーリー部材と、該プーリー部材に巻き掛けられた、プーリー部材を回転させる操作部材とを有するスクリーン巻取装置において、上記巻取軸とプーリー部材との間に、ロールスクリーンが巻取軸に逆方向に巻き取られるのを防ぐ逆巻き防止機構が取付けられていて、該逆巻き防止機構が、プーリー部材により回転する第１回転軸部材と、該第１回転軸部材の軸線方向の一端部と対向する端部を有し、巻取軸と共に回転する第２回転軸部材と、第１及び第２回転軸部材の対向する各端部を相互に圧着する方向に付勢する弾性手段とで構成されていて、上記第１及び第２回転部材の対向する両端部に、逆巻き方向には噛合しないが、正巻き方向には噛合するクラッチ歯をそれぞれ設けると共に、上記弾性手段が、ロールスクリーン導出時には第１回転軸部材と第２回転軸部材とを一体的に回転させる程度に圧接する付勢力を有していることを特徴とするものである。
【０００５】
上記構成を有する巻取装置は、操作部材を操作してプーリー部材を正逆回転させることにより回転軸を回転させ、ロールスクリーンの導出及び巻き上げを行うものである。完全に導出されきったロールスクリーンを巻き上げる場合には、仮に逆巻き方向にプーリー部材を回転させる操作をしても、巻取軸とプーリー部材との間の逆巻き防止機構の第１回転軸部材と第２回転軸部材が相対的に空回りをし、結果的に回転軸に該プーリー部材の回転力が伝わらないように構成されているため、ロールスクリーンを誤って逆巻きに巻き取ることがなく、巻取装置やロールスクリーンの破損を防止することができる。
なお、逆にロールスクリーンを導出する場合には、巻き上げる場合に比してプーリー部材と巻取軸の間で伝達される力が小さいので、上記弾性手段の付勢力によって第１回転軸部材と第２回転軸部材とが圧接されることにより生じる相互の摩擦力によってそれらが一体的に回転するため、上記逆巻き防止機構が機能することはなく、問題なく導出作業を行うことができる。
【０００６】
本発明においては、上記スクリーン巻取装置が、内部において上記巻取軸を回転自在に支持し、巻き取ったロールスクリーンが収容されているスクリーンボックスと、該スクリーンボックスに取付けられ、上記プーリーが操作部材を巻き掛けられた状態で回転自在に収容されている巻取カートリッジとで構成されていて、上記第１回転軸部材が巻取カートリッジ側に、第２回転軸部材がスクリーンボックス側にそれぞれ取付けられ、上記弾性手段が巻取カートリッジ内に設けられて、上記第１回転軸部材を第２回転軸部材側の軸線方向に付勢しているものとすることができる。
【０００７】
また、発明においては、上記第１回転軸部材が、その軸線上に第２回転軸部材側に突出する係合軸を有していると共に、第２回転軸部材が、その軸線上に該係合軸を収容する係合孔を有しているものとすることができる。
【０００８】
【発明の実施の形態】
図１は本発明のスクリーン巻取装置の一実施例を示すもので、この実施例の巻取装置は、ロールスクリーン１と、該ロールスクリーンを巻き取るための巻取軸２と、該巻取軸２を正逆回転させるためのプーリー部材３と、該プーリー部材３に巻き掛けられた操作部材４とを有している。
【０００９】
上記巻取軸２は、建物開口部の上部に取付けられるスクリーンボックス５内に収容されていて、該スクリーンボックス５の左右両端で回転自在に支持され、正回転した場合にロールスクリーン１を巻き取り、逆回転させた場合に導出するようになっている。
【００１０】
上記ロールスクリーン１は、防虫用のロール網戸、遮光用スクリーン、断熱用スクリーン等の各種スクリーンとして用いられるもので、その一端側が上記巻取軸２に取付けられ、他端側が上記スクリーンボックス５の外に配設された、自重によってロールスクリーンを張設させるボトムバー（図示せず）に取付けられている。
【００１１】
上記操作部材４は、操作紐やボールチェーン等であり、上記プーリー部材３の周面に巻き掛けられていて、正逆方向引っ張って操作することにより該プーリー部材３に回転力を付与するものである。
【００１２】
上記プーリー部材４は、上記操作部材４の操作によって付与された回転力を上記巻取軸２に伝達し、回転させるもので、上記スクリーンボックス５の側面に取付けられる巻取カートリッジ６内の空間に、上記操作部材４が巻き掛けられ、且つ、後述する第１回転軸部材８によって回転可能に支持された状態で収容されている。
【００１３】
上記巻取軸２とプーリー部材４との間には、ロールスクリーン１が巻取軸２に誤った向き（逆方向）に巻き取られるのを防ぐ逆巻き防止機構７が取付けられている。この逆巻き防止機構７は、上記プーリー部材４により回転する第１回転軸部材８と、該第１回転軸部材８の軸線方向の一端部と対向する端部を有し、巻取軸２と共に回転する第２回転軸部材９と、これら第１及び第２回転軸部材８，９の対向する各端部を相互に圧着する方向に付勢する弾性手段１０とで構成されている。
【００１４】
上記第１回転軸部材８は、巻取カートリッジ６側に配設されていて、上記プーリー部材３に軸線方向に一定距離だけ前後進可能に取付けられている。具体的には、上記第２回転軸部材９と対向しない側の端部に、プーリー部材３の回転の中心に穿設された係止孔３ａに嵌入される一定長さの脚部８ｃを有していて、該プーリー部材３を回転可能に支持すると共に、該脚部８ｃの長さ分だけ前後進することができる構成となっている。なお、この場合の上記脚部８ｃの長さは、後述するクラッチ歯１１，１２の噛合が解除されために必要な間隔分だけ第１回転軸部材８が第２回転軸部材９から離れられる程度であればよい。
一方、第２回転軸部材９は、スクリーンボックス５側に配設され、巻取軸２の一部としてその端部に取付けられていて、これら第１及び第２回転軸部材８，９は、スクリーンボックス５の側端に設けられた中空状の軸受け５ａの中空内に回転可能に嵌挿されている。
【００１５】
そして、上記第１回転軸部材８及び第２回転軸部材９の対向する各端部には、図２及び図３に示すように、逆巻き方向には噛合しないが、正巻き方向には噛合するクラッチ歯１１，１２がそれぞれ設けられている。したがって、図３（Ａ）に示すように、第１回転軸部材８が正巻き方向に回転した場合には、クラッチ歯１１，１２がそれぞれの各噛合部１１ａ，１２ａで噛み合って第２回転軸部材９に回転力を伝達するが、図３（Ｂ）に示すように、第１回転軸部材８が逆巻き方向に回転した場合には、クラッチ歯１１，１２はそれぞれの各傾斜部１１ｂ，１２ｂ上を滑って相対的に空回りをしようとし、これらクラッチ歯１１，１２の噛合による第１回転軸部材８から第２回転軸部材９への回転力の伝達は行われない。
【００１６】
また、図１及び図２に示すように、上記第１回転軸部材８には、その軸線上に、第２回転軸部材９側に突出する係合軸８ａが設けられ、第２回転軸部材９には、その軸線上に、該係合軸８ａを収容する係合孔９ａが設けられ、上記クラッチ歯１１，１２が噛合による回転や相対的に空回りすることによって第１及び第２回転軸部材８，９の各回転軸がずれることなく、これらの第１及び第２回転軸部材８，９常に安定的に回転することができるように構成されている。
【００１７】
上記弾性手段１０は、図１に示すように、スプリングであって、上記巻取カートリッジ９内に配設され、第１回転軸部材８をその第２回転軸部材９側の軸線方向に弾性的に付勢しているもので、第１回転軸部材８が正回転し、クラッチ歯１１，１２が噛合する場合には、該第１回転軸部材８を第２回転軸部材９に圧接させるが、第１回転軸部材８が逆回転し、クラッチ歯１１，１２が相対的に空回りしようとする場合には、第１回転軸部材８を第２回転軸部材９から離すために弾性的に収縮する。
【００１８】
この弾性手段１０は、ロールスクリーン１の導出時には第１回転軸部材と第２回転軸部材とを一体的に回転させる程度に圧接する程度の付勢力を有している。このスクリーン巻取装置においては、上記ロールスクリーン１を導出するには、第１回転軸部材８を逆回転させる必要があるが、この場合には、上記クラッチ歯１１，１２も相対的な空回りをしようと傾斜部１１ｂ，１２ｂが相互に滑ろうとする。しかしながら、上記弾性手段１０がその付勢力により第１回転軸部材８を第２回転軸部材９に押し付けるため、それによってクラッチ歯１１の各傾斜部１１ｂとクラッチ歯１２の各傾斜部１２ｂとの間に、第１回転軸部材と第２回転軸部材とを一体的に回転させることができる程度の摩擦力が発生する。この結果、巻き上げる場合に比してプーリー部材４と巻取軸２の間で伝達される力が小さいこともあって上記傾斜部１１ｂ，１２ｂの相互の滑りが抑制され、ロールスクリーン１が問題なく導出される。
これに対して、ロールスクリーン１がほぼ全部導出された場合には、導出されたロールスクリーン１とボトムバーとの重さによって巻取軸２に生じるモーメント力の大きさと、上記各傾斜部１１ｂ，１２ｂ間に発生する摩擦力の大きさとの関係で、結果として、該傾斜部１１ｂ，１２ｂが相互に滑り、クラッチ歯１１，１２が相対的に空回りをすることになる。
【００１９】
上記構成を有するスクリーン巻取装置は、操作部材４を操作してプーリー部材３を正逆回転させることにより回転軸を回転させ、ロールスクリーン１の導出及び巻き上げを行うものである。
完全に導出されきったロールスクリーン１を巻き上げる場合には、仮に逆巻き方向にプーリー部材４を回転させる操作をしても、巻取軸２とプーリー部材３との間の逆巻き防止機構７の第１回転軸部材８と第２回転軸部材９が相対的に空回りをし、結果的に回転軸に該プーリー部材の回転力が伝わらないため、ロールスクリーン１を誤って逆巻きに巻取ることがなく、巻取装置やロールスクリーンの破損を防止することができる。
【００２０】
上記実施例では、プーリー部材３を巻取カートリッジ６に収容したものとしているが、巻取カートリッジ６を設けずに、プーリー部材３をスクリーンボックス５内に配設するようにしてもよい。
【００２１】
【発明の効果】
以上に詳述したように、本発明のスクリーン巻取装置によれば、巻取軸とプーリー部材との間に逆巻き防止機構を設けて、ロールスクリーンを逆巻きしようとした場合には、この逆巻き防止機構の第１回転軸部材と第２回転軸部材が相対的に空回りをし、該プーリー部材の回転力が巻取軸に伝達されないため、ロールスクリーンが逆巻きに巻取られるのを防止することができる。
【図面の簡単な説明】
【図１】本発明のスクリーン巻取装置を示す要部拡大断面図である。
【図２】本発明の第１回転軸部材及び第２回転軸部材を示す斜視図である。
【図３】第１回転軸部材と第２回転軸部材とが（Ａ）噛合している状態（Ｂ）相対的に空回りする状態を示す斜視図である。
【符号の説明】
１    ロールスクリーン
２    巻取軸
３    プーリー部材
４    操作部材
５    スクリーンボックス
６    巻取カートリッジ
７    逆巻き防止機構
８    第１回転軸部材
８ａ    係合軸
９    第２回転軸部材
９ａ    係合孔
１０    弾性部材
１１，１２    クラッチ歯
【図１】
2004176419.tif 000003
【図２】
2004176419.tif 000004
【図３】
2004176419.tif 000005